(57)【特許請求の範囲】
【請求項１】
複数のスタンプをそれぞれ同位置に押印することにより一つの印影を得ることができるスタンプセットにおいて、
前記スタンプセットを構成する複数のスタンプのうち少なくとも一個のスタンプが、
印字体を備えたスタンプ主体をホルダーの下面に固着される支持枠にて支持し、前記スタンプ主体の四辺の外側面に突出して設けたスライド支持片が、前記支持枠の四辺に設けたスライド凹部内を移動することで、前記スタンプ主体を前記ホルダーの下部にてスライド可能にし、
また、スライド凹部の底部に、スライド支持片に当接する突起を設けたことを特徴とするスタンプセット。
【請求項２】
請求項１に記載のスタンプセットに、複数のスタンプを個別に収納する収納部と複数のスタンプをそれぞれ同位置に押印するための押印ガイド部を備えたスタンプトレーを組合わせて構成したことを特徴とするスタンプセット。
【請求項３】
スタンプセットを構成する複数のスタンプの印字体には、それぞれ異色のインクが含浸されていることを特徴とする請求項１又は請求項２に記載のスタンプセット。
【発明の詳細な説明】
【０００１】
【発明の属する技術分野】
本発明は、複数のスタンプをそれぞれ同位置に押印することにより一つの印影を得ることができるスタンプセットに関するものである。
【０００２】
【従来の技術】
従来より、複数のスタンプをそれぞれ同位置に押印することにより一つの印影を得るというスタンプセットは知られており、例えば、実開昭６１−２０１８５７号や実開平３−４２６６０号に開示されている。この種のスタンプセットを構成するスタンプは、通常、スタンプを把持する部分となるホルダーの下面にインクを含浸した印字体を備えた連続捺印が可能なものである。
【０００３】
そして、前記したスタンプセットに用いられる印字体としては、連続気泡を有する多孔質ゴムからなる印材の表面に文字や図形等を金型やレーザー加工等により凹凸状に形成して印面を作成したものや、熱可塑性樹脂多孔体からなる印材の表面に文字や図形等がネガやポジで表された紙や透明フィルム等の版下を重ねて、その版下の表面から赤外線を照射して熱可塑性樹脂多孔体の表面にインク滲み出し部と非インク滲み出し部を形成して印面を作成したものがある。
【０００４】
又、前記したスタンプセットでは、複数のスタンプの印影の組合わせによって得られる一つの印影をバランスの良い鮮明なものとするため、押印時には押印の位置決めをするための押印ガイド部材を用いて複数のスタンプをそれぞれ同位置に押印するものとし、複数のスタンプのホルダーや印字体のサイズもそれぞれ同一とし、更に、複数のスタンプの印面の作成位置もそれぞれ位置決めするのが一般的である。
【０００５】
又、前記したスタンプセットでは、スタンプセットを構成する複数のスタンプそれぞれに異色のインクを含浸したものもある。従来より一個のスタンプにより多色の印影を得ることができる多色押印を可能としたスタンプも存在するが、このように一個のスタンプで多色押印を可能としたものは、異色のインクを含浸した複数の印字体が１ヶ所に集中して配設されているため異色のインクが混ざってしまい、印影が汚くなってしまうという欠点があるのに対し、異色のインクを印字体に含浸させたスタンプセットにおいては、押印時に異色のインクが混ざることもなく、きれいな多色印影を得ることができるという利点がある。
【０００６】
【発明が解決しようとする課題】
ところが、前記した従来のスタンプセットは、前記したように複数のスタンプの印影の組合わせによるバランスの良い鮮明な印影を得るための手段を採っているにもかかわらず、複数の印影が重なり合ったり、あるいは複数の印影が離れすぎたりして、印影のバランスが崩れたり印影が不鮮明になるという欠点があった。これは、スタンプ製造工程において、スタンプセットを構成する複数のスタンプの印材に印面を作成する際、その印面作成位置がそれぞれ微妙にずれてしまうということがあるからであり、このような事は、特に熱可塑性樹脂多孔体からなる印材の表面に版下を重ね、その版下の表面から赤外線を照射して印材表面にインク滲み出し部と非インク滲み出し部を形成することにより作成される印面において顕著に起こるものである。この印面の作成方法では、版下を印材表面に重ねる際にその位置がずれてしまうと、印面の作成位置もずれてしまうが、スタンプ製造工程において印材表面に版下を重ねる位置を常に一定に保つということは非常に困難であることから、この印面の作成方法により作成した印面を有する印字体を備えた従来のスタンプセットは、印影のバランスが崩れたり印影が不鮮明になるということが起こり易いものである。
【０００７】
又、スタンプセットを構成する複数のスタンプのホルダーの下面にそれぞれ印字体を貼付ける際、その貼付け位置が少しでもずれてしまうと、前記したように印影のバランスが崩れたり印影が不鮮明になってしまうが、スタンプ製造工程において印字体の貼付け位置を常に一定に保つということも非常に困難であることから、従来のスタンプセットは、印影のバランスが崩れたり印影が不鮮明になるということが起こり易いものである。
【０００８】
そこで、本発明は前記したような従来のスタンプセットにおける欠点を解消して、バランスが良く鮮明な印影を得ることができるスタンプセットを提供することを目的とする。
【０００９】
【課題を解決するための手段】
本発明は前記課題を解決するために、複数のスタンプをそれぞれ同位置に押印することにより一つの印影を得ることができるスタンプセットにおいて、前記スタンプセットを構成する複数のスタンプのうち少なくとも一個のスタンプが、印字体を備えたスタンプ主体をホルダーの下面に固着される支持枠にて支持し、前記スタンプ主体の四辺の外側面に突出して設けたスライド支持片が、前記支持枠の四辺に設けたスライド凹部内を移動することで、前記スタンプ主体を前記ホルダーの下部にてスライド可能にし、また、スライド凹部の底部に、スライド支持片に当接する突起を設けたことを特徴とするスタンプセットである。
【００１０】
そして、前記スタンプセットに、複数のスタンプを個別に収納する収納部と複数のスタンプをそれぞれ同位置に押印するための押印ガイド部を備えたスタンプトレーを組合わせて、スタンプセットを構成する。
【００１１】
又、前記スタンプセットを構成する複数のスタンプの印字体には、それぞれ異色のインクを含浸する。
【００１２】
【発明の実施の形態】
以下、本発明の実施の形態について図面を基に詳細に説明する。まず、本実施の形態におけるスタンプセットを構成するスタンプは、二個の角型のスタンプであるスタンプＡ、スタンプＢとしている。スタンプＡは図１に示すように、プラスチック製のホルダー１の下面に長方形角型の印字体２を両面粘着テープや接着剤を用いて貼付けたものである。
【００１３】
印字体２は、連続気孔を有する熱可塑性樹脂多孔体からなる印材の表面に、印面となる文字や図形等がネガやポジで表された紙や透明フィルム等の版下を重ね、その版下の表面から赤外線を照射して熱可塑性樹脂多孔体の表面を加熱し、赤外線の透過度の違いにより溶融した非インク滲み出し部と溶融しないインク滲み出し部を熱可塑性樹脂多孔体の表面に形成して印面を作成したものである。尚、熱可塑性樹脂多孔体の材質としては、ポリエチレン、ポリプロピレン、ポリ塩化ビニル、ポリスチレン等が挙げられる。
【００１４】
次に、スタンプＢは図２及び図３に示すようにホルダー３とスタンプ主体５と支持枠８とから構成されるものである。ホルダー３はプラスチック製であり、下面に複数の係止孔４を設けてある。スタンプ主体５はプラスチック製の角型の板状をしているもので、下面に角型の印字体６を貼付けてなるもので、印字体６は前記スタンプＡの印字体２と同様に、連続気孔を有する熱可塑性樹脂多孔体からなる印材の表面に印面を作成したものである。又、スタンプ主体５の四辺の外側面中央にはそれぞれ外側に突出したＬ字型のスライド支持片７を一個ずつ設けてある。
【００１５】
支持枠８はプラスチック製で角型の枠状をしているもので、上面にはホルダー３の下面に設けられた係止孔４に対応する係止爪９を設けてあり、四辺の中央にはそれぞれ上面が切欠かれたスライド凹部１０を一個ずつ設けてある。そして、支持枠８はスタンプ主体５が支持枠８内にて水平方向に移動可能となるようスタンプ主体５よりも大きいものとなっており、スライド支持片７の幅Ｌ１とスライド凹部１０の幅Ｌ２の関係はＬ１＜Ｌ２となっている。
【００１６】
スタンプＢの組付け方法は、スタンプ主体５の印字体６を下向きにして、その状態で四個のスライド支持片７を支持枠８の四個のスライド凹部１０内に載置して、その状態で支持枠８の係止爪９をホルダー３の係止孔４に挿入し係止させる。これにより、支持枠８のスライド凹部１０内に載置されたスタンプ主体５のスライド支持片７の上面はホルダー３の下面により塞がれて抜け止めされた状態となり、スタンプ主体５はホルダー３の下面に固着された支持枠８により吊り下げ状に支持された状態となる。尚、この時、スタンプ主体５の印字体６は支持枠８の中央より下方に若干突出した状態となる。以上で、スタンプＢの組付けが完了する。
【００１７】
そして、前記したように組付けられたスタンプＢのスタンプ主体５は、スライド支持片７がスライド凹部１０内を移動する分、ホルダー３の下部において水平方向にスライド可能となるもので、スライド支持片７の端部を摘んで操作することにより、スタンプ主体５を水平方向にスライドさせることができる。又、本実施の形態では、スライド凹部１０の底部にはスライド支持片７の内面に当接する突起１１を設けてある。この突起１１は、スタンプ主体５をスライドさせる際に抵抗を生じさせるようにして、スタンプ主体５が使用者の意に反して不意にスライドしないようにするためのものである。尚、このようにスタンプ主体５が不意にスライドしないようにするためには、前記した突起１１の代わりに、スライド支持片７とスライド凹部１０に互いに噛合う歯部を設けても良い。
【００１８】
そして、本実施の形態におけるスタンプセットにより得られる印影は図５に示すようにアメリカ合衆国の国旗としており、スタンプＡの印影とスタンプＢの印影はそれぞれ図６（ａ）、図６（ｂ）に示すようになっており、スタンプＡの印字体２には青、スタンプＢの印字体６には赤のインクがそれぞれ含浸してある。
【００１９】
又、本実施の形態では前記スタンプＡとスタンプＢに、図４に示すスタンプトレーＣを組合わせてスタンプセットを構成している。スタンプトレーＣはスタンプＡとスタンプＢを個別に収納する収納部１２a、１２ｂと、スタンプＡとスタンプＢを同位置に押印するための底面が開口した押印ガイド部１３を備えているもので、スタンプＡとスタンプＢを使用しない時には、スタンプトレーＣの収納部１２a、１２ｂにスタンプＡ、スタンプＢを収納しておく。ここで、収納部１２a、１２ｂの四ヶ所の角部にはそれぞれリブ１４ａ、１４ｂを設けてあり、収納部１２a、１２ｂにスタンプＡ、スタンプＢをそれぞれ収納した際には、スタンプＡの印字体２の周縁にはリブ１４ａが、スタンプＢの印字体６の周縁（支持枠８）にはリブ１４ｂがそれぞれ当接して、スタンプＡとスタンプＢはそれぞれ印字体２、印字体６を浮かせた状態で収納しておくことができ、これにより、収納部１２ａ、１２ｂの底面に印字体２、６に含浸されたインクが付着して汚れてしまうことはない。
【００２０】
次に、本実施の形態の使用方法について説明する。まず、未使用時は前記したようにスタンプＡとスタンプＢをそれぞれ印字体を下向きにしてスタンプトレーＣの収納部１２ａ、１２ｂに収納しておき、使用の際には、押印対象となる紙上にスタンプトレーＣを置いて押印ガイド部１３を所望の押印位置に合わせ、その状態でスタンプＡを収納部１２ａから取り出して、そのスタンプＡを押印ガイド部１３に挿入して押印する。これにより、まず、図６（ａ）に示すスタンプＡの印影が得られる。
【００２１】
次に、スタンプＡの押印を終えたらスタンプＡを収納部１２ａに収納し、今度はスタンプＢを収納部１２ｂから取り出して、そのスタンプＢを押印ガイド部１３に挿入して押印する。これにより、図６（ｂ）に示すスタンプＢの印影が得られる。尚、スタンプＢの押印時には、スタンプＡと押印位置がずれてしまわないようにスタンプトレーＣを動かさないようにする。
【００２２】
そして、スタンプＢの押印を終えたらスタンプＢを収納部１２ｂに収納し、スタンプトレーＣを紙上から退かすと、紙上には図６（ａ）に示すスタンプＡの印影と図６（ｂ）に示すスタンプＢの印影の組合わせにより得られた図５に示す一つの多色印影が表れる。
【００２３】
尚、スタンプＡとスタンプＢを押印した際、スタンプＡとスタンプＢの印影の組合わせにより得られた印影が図７に示すようにバランスの崩れたものとなってしまった場合には、スタンプＢのスタンプ主体５を水平方向にスライドさせてスタンプＢの印字体６の位置を調整して、スタンプＡの印影とスタンプＢの印影の組合わせにより得られる印影のバランスを整えることができる。従って、本実施の形態におけるスタンプセットを構成するスタンプＡの印字体２とスタンプＢの印字体６の印面作成位置がずれていたり、スタンプＡに対する印字体２の貼付け位置とスタンプＢのスタンプ主体５に対する印字体６の貼付け位置がずれていたとしても、スタンプＡとスタンプＢの組合わせによって得られる印影を常に鮮明でバランスの良いものとすることができる。
【００２４】
又、スタンプＡの印字体２とスタンプＢの印字体６にはそれぞれ異色のインクが含浸されているが、この異色のインクのスタンプＡとスタンプＢを順次押印することにより一つの多色印影を得るものとしているので、押印時に異色のインクが混ざることがなく、きれいな多色印影を得ることができる。
【００２５】
又、スタンプＡとスタンプＢにスタンプトレーＣを組合わせてスタンプセットを構成することにより、スタンプＡとスタンプＢの押印と収納を効率良く行うことができ、スタンプセットとして販売する際にも非常に有効である。
【００２６】
以上、本発明の一実施の形態を説明してきたが、前記した実施の形態ではスタンプセットを構成するスタンプの数を二個としていたが、この数は三個あるいは四個といったように特に限定されるものではなく、又、そのスタンプの数に応じてスタンプトレーの収納部の数を設定することができる。
【００２７】
又、前記した実施の形態では、スタンプＢについては印字体６を有するスタンプ主体５を水平方向にスライド可能な構成として印字体６の位置を調整できるようにし、スタンプＡについては印字体２をホルダー１の下面に貼付けた構成として印字体２の位置は調整不可能なものとしていたが、スタンプＡをスタンプＢと同様の構成にして印字体２の位置も調整可能としても良い。
【００２８】
又、前記した実施の形態では、スタンプＡとスタンプＢの印影の組合わせにより得られる一つの印影をアメリカ合衆国の国旗としていたが、このように、スタンプＡとスタンプＢの印影の組合わせにより、各国の国旗の印影を得ることができるようにしたり、あるいは、各種の交通標識の印影を得ることができるようにすることにより、知育玩具としてのスタンプセットとすることもできる。
【００２９】
又、前記した実施の形態では、スタンプＡとスタンプＢの印影の組合せにより得られる一つの印影は、スタンプＡの印影とスタンプＢの印影を重ね合わせずに得るものとしていたが、異色のインクを含浸した複数のスタンプを同位置に押印し、それらの印影を重ね合わせることにより一つの多色印影を得るようにすることも可能であり、この場合においても、スタンプの印字体の位置を調整することにより複数の印影を重ね合わせる位置を調整することができるので、これにより、所望の鮮明な多色印影を得ることができる。
【００３０】
【発明の効果】
以上のとおり、本発明では複数のスタンプをそれぞれ同位置に押印することにより一つの印影を得ることができるスタンプセットを構成する複数のスタンプのうち少なくとも一個のスタンプを、印字体を備えたスタンプ主体をホルダーの下面に固着される支持枠にて水平方向にスライド可能に支持した構成としたので、スタンプセットを構成する複数のスタンプのそれぞれの印字体の印面作成位置がずれていたり、それぞれの印字体の貼付け位置がずれていたとしても、複数のスタンプの組合わせによって得られる一つ印影を常に鮮明でバランスの良いものとすることができる。
【００３１】
又、前記したスタンプセットに、複数のスタンプを個別に収納する収納部と複数のスタンプを同位置に押印するための押印ガイド部を備えたスタンプトレーを組合わせてスタンプセットを構成することにより、複数のスタンプの押印や収納を効率良く行うことができ、スタンプセットとして販売する際にも非常に有効であり、印面内容によっては知育玩具としてのスタンプセットといった販売形態も採ることができる。
【００３２】
更に、スタンプセットを構成する複数のスタンプの印字体にそれぞれ異色のインクを含浸することにより、複数の異色のスタンプを順次押印して一つの多色印影を得ることができるので、押印時に異色のインクが混ざることがなく、きれいな多色印影を得ることができる。
【図面の簡単な説明】
【図１】本発明の一実施の形態におけるスタンプＡの側面半断面図。
【図２】本発明の一実施の形態におけるスタンプＢの側面一部断面図。
【図３】図２に示したスタンプＢの分解斜視図。
【図４】本発明の一実施の形態におけるスタンプトレーＣの平面図。
【図５】スタンプＡとスタンプＢの印影の組合わせにより得られる一印影を示す図。
【図６】スタンプＡの印影とスタンプＢの印影を個別に示す図。
【図７】バランスの崩れた印影の一例を示す図。
【符号の説明】
Ａ  スタンプ
１  ホルダー
２  印字体
Ｂ  スタンプ
３  ホルダー
４  係止孔
５  スタンプ主体
６  印字体
７  スライド支持片
８  支持枠
９  係止爪
１０  スライド凹部
１１  突起
Ｃ  スタンプトレー
１２ａ  収納部
１２ｂ  収納部
１３  押印ガイド部
１４ａ  リブ
１４ｂ  リブ
【図１】
0004430274.tif 000002
【図２】
0004430274.tif 000003
【図３】
0004430274.tif 000004
【図４】
0004430274.tif 000005
【図５】
0004430274.tif 000006
【図６】
0004430274.tif 000007
【図７】
0004430274.tif 000008